(57)【特許請求の範囲】
【請求項１】
既設構造物と取替用部材との間に間詰めコンクリートを充填することにより互いに接合する既設構造物と取替用部材との接合方法において、
上記既設構造物のコンクリート中に埋設されていた直線状の既設鉄筋を突出させてなる上記既設構造物の端面と継手鉄筋を突出させてなる上記取替用部材の端面とを互いに間隔を空けて対向させ、上記既設構造物と上記取替用部材間に介装用鉄筋を上記既設鉄筋との間では互いに離間させ、且つ上記継手鉄筋との間では重ね継手となるように配設した上で上記間詰めコンクリートを充填すること
を特徴とする既設構造物と取替用部材との接合方法。
【請求項２】
ループ鉄筋である上記継手鉄筋に対して、上記介装用鉄筋のループ状の折曲げ部分を重ねることによる重ね継手を形成すること
を特徴とする請求項１記載の既設構造物と取替用部材との接合方法。
【請求項３】
先端に鋼管を圧着したエンドバンド鉄筋である上記継手鉄筋に対して、上記介装用鉄筋の先端に圧着された鋼管との間で上記重ね継手を形成すること
を特徴とする請求項１記載の既設構造物と取替用部材との接合方法。
【請求項４】
上記介装用鉄筋のうちフック状に折り曲げられた端部と上記既設鉄筋との間で上記間詰めコンクリートを介して定着されていること
を特徴とする請求項１〜３のうち何れか１項記載の既設構造物と取替用部材との接合方法。
【請求項５】
既設構造物と取替用部材との間に間詰めコンクリートが充填されることにより互いに接合される既設構造物と取替用部材との接合構造において、
上記既設構造物のコンクリート中に埋設されていた直線状の既設鉄筋を突出させてなる上記既設構造物の端面と継手鉄筋を突出させてなる上記取替用部材の端面とが互いに間隔を空けて対向させてなり、
上記既設構造物と上記取替用部材との間に介装用鉄筋が配設され、
上記介装用鉄筋は、上記既設鉄筋との間では互いに離間させ、且つ上記継手鉄筋との間では重ね継手を形成してなること
を特徴とする既設構造物と取替用部材との接合構造。
【請求項６】
上記継手鉄筋は、ループ鉄筋であり、
上記介装用鉄筋は、そのループ状の折曲げ部分を、上記ループ鉄筋に対して重ねることによる重ね継手を形成してなること
を特徴とする請求項５記載の既設構造物と取替用部材との接合構造。
【請求項７】
上記継手鉄筋は、先端に鋼管を圧着したエンドバンド鉄筋であり、
上記介装用鉄筋は、上記継手鉄筋と重ね継手を形成するその先端に鋼管が圧着されてなること
を特徴とする請求項５記載の既設構造物と取替用部材との接合構造。
【請求項８】
上記介装用鉄筋のうちフック状に折り曲げられた端部と上記既設鉄筋との間で上記間詰めコンクリートを介して定着されていること
を特徴とする請求項５〜７のうち何れか１項記載の既設構造物と取替用部材との接合構造。
【発明の詳細な説明】
【技術分野】
【０００１】
本発明は、既設構造物と取替用部材との間に間詰めコンクリートを充填することにより互いに接合する既設構造物と取替用部材との接合方法及び構造に関するものである。
【背景技術】
【０００２】
従来より、橋梁におけるコンクリート床版が古くなった場合には、その古いコンクリート床板を取り外し、その代替として取替用床版を配設する。既設床版と取替用床版の間に形成される接続部には間詰めコンクリートを打設する。また既設床版の端面から突出される鉄筋と、取替用床版の端面から突出させた鉄筋の間で、例えば重ね継手により接続する。
【０００３】
図９は、既設床版と接合する取替用床版８１の従来例である。取替用床版８１は、取替用床版本体８０の各端部９１ａ、９１ｂから線状の鉄筋９２を略水平方向に向けて突出されている。鉄筋９２は、この取替用床版本体８０上において上下２段に亘って形成されている。なお、このような線状の鉄筋９２の代替として、上下２段の鉄筋を床版厚み方向円弧状に形成されたループ状継手を取替用床版本体８０に埋設させるようにしてもよい。
【０００４】
このような構成からなる取替用床版８１は、橋軸直角方向に横長の床版である。このような取替用床版８１を既設床版１００と接合する場合には、例えば図１０に示すように既設床版１００から突出された鉄筋１０１と、取替用床版８１から突出された鉄筋９２との間で、重ね継手を構成する。この鉄筋１０１と鉄筋９２とは平面視で互い違いになるように配置するとともに、鉄筋１０１と鉄筋９２との間には、橋軸方向に直交する方向へ補強鉄筋９５を配筋する。この補強鉄筋９５と、鉄筋１０１又は鉄筋９２との間で、必要に応じて番線等の結束線により結束するようにしてもよい。その後、既設床版１００と、取替用床版８１との間に形成される目地間隔Ｃに間詰めコンクリート９７を打設する（例えば、特許文献１参照。）。
【先行技術文献】
【特許文献】
【０００５】
【特許文献１】特開２００７−２３１５６９号公報
【発明の概要】
【発明が解決しようとする課題】
【０００６】
しかしながら、上述した重ね継手を介した接合方法によれば以下に説明する問題点がある。
【０００７】
先ず第１の問題点として、上述した重ね継手を使用すると、接合部の目地間隔Ｃが長くなってしまう。その結果、間詰めコンクリート９７を打設するための労力が増大し、これに伴う施工時間が長期化してしまう。特に取替用床版８１による取替作業を行うためには、交通規制を行う必要があり、打設する間詰めコンクリート９７の量が増加すれば、その分交通規制時間が長くなってしまうという問題点が生じる。また間詰めコンクリートの量が増加すれば、その分材料コストが増加してしまうという問題点も生じる。
【０００８】
また、第２の問題点として、既設床版１００について、建設時の図面等の情報が残っていない場合もあり得る。かかる場合には、この既設床版１００との間で重ね継手を構成する上で、既設床版１００の鉄筋１０１の配置状況等が不明になる。このため、一度掘削作業を行い、既設床版１００のコンクリート中に埋設されている鉄筋１０１の配置状況を確認するいわゆる事前作業を行う必要が生じ、施工時間が更に長期化してしまう。これに加えて、図面や事前作業を通じて特定した鉄筋１０１の配置状況と、実際の鉄筋１０１の配置状況とが異なる場合もあり、施工時間が更に長期化してしまう場合もある。
【０００９】
また、第３の問題点として、重ね継手を採用する場合には、ネジ等を用いる機械式の継手を用いる場合において、現場での組立調整が必要となり、施工時間が更に長期化してしまう。
【００１０】
更に第４の問題点として、重ね継手を採用する場合において、後施工アンカーを打ち込み、接合可能な鉄筋とする際に更に施工時間を要する。
【００１１】
そこで本発明は、上述した問題点に鑑みて案出されたものであり、その目的とするところは、既設構造物と取替用部材との間に間詰めコンクリートを充填することにより互いに接合する上で、施工時間を短縮することができ、材料コストを低減することが可能な既設構造物と取替用部材との接合方法を提供することにある。
【課題を解決するための手段】
【００１２】
請求項１記載の既設構造物と取替用部材との接合方法は、既設構造物と取替用部材との間に間詰めコンクリートを充填することにより互いに接合する既設構造物と取替用部材との接合方法において、上記既設構造物のコンクリート中に埋設されていた直線状の既設鉄筋を突出させてなる上記既設構造物の端面と継手鉄筋を突出させてなる上記取替用部材の端面とを互いに間隔を空けて対向させ、上記既設構造物と上記取替用部材間に介装用鉄筋を上記既設鉄筋との間では互いに離間させ、且つ上記継手鉄筋との間では重ね継手となるように配設した上で上記間詰めコンクリートを充填することを特徴とする。
【００１３】
請求項２記載の既設構造物と取替用部材との接合方法は、請求項１記載の発明において、ループ鉄筋である上記継手鉄筋に対して、上記介装用鉄筋のループ状の折曲げ部分を重ねることによる重ね継手を形成することを特徴とする。
【００１４】
請求項３記載の既設構造物と取替用部材との接合方法は、請求項１記載の発明において、先端に鋼管を圧着したエンドバンド鉄筋である上記継手鉄筋に対して、上記介装用鉄筋の先端に圧着された鋼管との間で上記重ね継手を形成することを特徴とする。
【００１５】
請求項４記載の既設構造物と取替用部材との接合方法は、請求項１〜３のうち何れか１項記載の発明において、上記介装用鉄筋のうちフック状に折り曲げられた端部と上記既設鉄筋との間で上記間詰めコンクリートを介して定着されていることを特徴とする。
【００１６】
請求項５記載の既設構造物と取替用部材との接合構造は、既設構造物と取替用部材との間に間詰めコンクリートが充填されることにより互いに接合される既設構造物と取替用部材との接合構造において、上記既設構造物のコンクリート中に埋設されていた直線状の既設鉄筋を突出させてなる上記既設構造物の端面と継手鉄筋を突出させてなる上記取替用部材の端面とが互いに間隔を空けて対向させてなり、上記既設構造物と上記取替用部材との間に介装用鉄筋が配設され、上記介装用鉄筋は、上記既設鉄筋との間では互いに離間させ、且つ上記継手鉄筋との間では重ね継手を形成してなることを特徴とする。
【００１７】
請求項６記載の既設構造物と取替用部材との接合構造は、請求項５記載の発明において、上記継手鉄筋は、ループ鉄筋であり、上記介装用鉄筋は、そのループ状の折曲げ部分を、上記ループ鉄筋に対して重ねることによる重ね継手を形成してなることを特徴とする。
【００１８】
請求項７記載の既設構造物と取替用部材との接合構造は、上記継手鉄筋は、先端に鋼管を圧着したエンドバンド鉄筋であり、上記介装用鉄筋は、上記継手鉄筋と重ね継手を形成するその先端に鋼管が圧着されてなることを特徴とする。
【００１９】
請求項８記載の既設構造物と取替用部材との接合構造は、請求項５〜７のうち何れか１項記載の発明において、上記介装用鉄筋のうちフック状に折り曲げられた端部と上記既設鉄筋との間で上記間詰めコンクリートを介して定着されていることを特徴とする。
【発明の効果】
【００２０】
上述した構成からなる本発明によれば、取替用床版側においては、介装用鉄筋と継手鉄筋との間では、重ね継手を構成していることから互いに強固に接合することが可能となる。また既設床版側においては、介装用鉄筋と、既設鉄筋との間で間詰めコンクリートを介して定着させる構造を採用することで、十分な強度を以って接合することができる。この定着させる継手構造では、介装用鉄筋並びに既設鉄筋が間詰めコンクリートを介して定着されているものに過ぎないが、これによっても上述した所期の効果を発現させることが可能となる。
【００２１】
特に既設床版側において重ね継手を適用することなく、あくまで間詰めコンクリートを介した定着を行うことにより、既設床版と、取替用床版との間に形成される目地間隔を短くすることができる。その結果、間詰めコンクリートを打設するための労力を軽減させることができ、また施工時間も短縮することが可能となる。特に取替用床版による取替作業を行うための交通規制時間も短縮することができる。更に必要な間詰めコンクリートの量も低減することができ、材料コストを抑制することが可能となる。
【００２２】
また本発明では、既設床版側においては、介装用鉄筋と、既設鉄筋との間で間詰めコンクリートを介した定着構造を採用するため、既設床版について建設時の図面等の情報が残っていない場合であってもこれとは無関係に接合を行うことができる。このため、既設床版の鉄筋の配置状況等を確認するために一度掘削作業を行う必要も無くなり、これに伴う施工時間が増加してしまうのを防止することができる。
【００２３】
また本発明では、既設床版側においては、介装用鉄筋と、既設鉄筋との間で間詰めコンクリートを介して定着させるため、従来の重ね継手を採用する場合における機械式継手の組立調整も必要なくなり、施工時間をより短縮することが可能となる。
【図面の簡単な説明】
【００２４】
【図１】本発明を適用した接合構造の平面図である。
【図２】本発明を適用した接合構造の断面図である。
【図３】本発明を適用した接合構造に用いられる取替用床版の側面図である。
【図４】本発明を適用した接合構造に用いられる介装用鉄筋について説明するための図である。
【図５】既設床版から突出されている２段の既設鉄筋の上下間隔が狭い場合の例について説明するための図である。
【図６】ループ鉄筋が突出された取替用床版の側断面図である。
【図７】本発明を適用した接合構造に用いられる介装用鉄筋の他の例について説明するための図である。
【図８】本発明を適用した接合構造の他の例の断面図である。
【図９】既設床版と接合する取替用床版の従来例について説明するための図である。
【図１０】従来における既設構造物と取替用部材との接合構造について説明するための図である。
【発明を実施するための形態】
【００２５】
以下、本発明の実施の形態として、既設構造物と取替用部材との接合構造について、図面を参照しながら詳細に説明をする。
【００２６】
図１は、本発明を適用した接合構造１の平面図であり、図２はその断面図を示している。この接合構造１は、例えば橋梁におけるコンクリート床版が破損、劣化等した場合においてその一部を補修する上で適用されるものである。この接合構造１を適用する場合には、補修対象のコンクリート床版を取り外すことにより、取替対象外の既設床版２間に間隙を設ける。そして、この間隙に取替用床版３を配設する。更にこの既設床版２と取替用床版３の間には、介装用鉄筋５が配設された上で間詰めコンクリート４が打設される。
【００２７】
既設床版２の内部には、既設鉄筋２１が橋軸方向に向けて埋設され、その端部は端面２ａから突出されている。この既設床版２の内部には、更に橋軸直角方向に向けて補強鉄筋２２が埋設されている。この補強鉄筋２２は、既設鉄筋２１に対して直交させつつこれに添設されている。
【００２８】
取替用床版３は、図３の側面図に示すように、所定の長さ寸法の鉄筋の両端部に鋼製筒状体３１が嵌合されると共に、鉄筋に押し潰し変形されて圧着固定された圧着グリップ（エンドバンド）３２が形成され、圧着グリップ付き継手鉄筋（エンドバンド付き継手鉄筋）からなる上部継手鉄筋３０ａ及び下部継手鉄筋３０ｂが構成されている。
【００２９】
圧着グリップ付き継手鉄筋からなる上部継手鉄筋３０ａ及び下部継手鉄筋３０ｂは、鉄筋に加熱成形等の熱間加工を必要としないので、市販の安価な鉄筋を使用でき、また、鋼製筒状体３１も市販の安価な部材を使用することができる。また鋼製筒状体３１は、その長さについても自由度がある。また、鉄筋の端部を徐々に拡径させる拡径端部を有する特注の鉄筋を使用する場合に比べて、本発明において使用する圧着グリップ付き継手鉄筋からなる上部継手鉄筋３０ａ及び下部継手鉄筋３０ｂは、市販の各種の鉄筋および鋼製筒状体を利用でき、製造の自由度が格段に高く、製造も容易である。
【００３０】
圧着グリップ付き継手鉄筋からなる上部継手鉄筋３０ａ及び下部継手鉄筋３０ｂが、床版鉄筋の一部として上部および下部の所定の位置に、かつ圧着グリップ３２が橋軸方向の両端部に位置するように配置され、前記鉄筋の中間部を埋め込むようにコンクリートが打設硬化されて、取替用床版３が構成されている。
【００３１】
また上部継手鉄筋３０ａが突出されている上部床版端面３４が、下部継手鉄筋３０ｂが突出されている下部床版端面３５よりも、橋軸方向の中央部寄りに位置するように設けられている。これにより、上部床版端面３４間の幅は、下部床版端面３５間の幅よりも狭くなるように設けられている。
【００３２】
上部床版端面３４と下部床版端面３５との間には、橋軸直角方向に連続する傾斜面又は平坦面を備えた段部１３７が設けられていてもよい。多数の上部継手鉄筋３０ａによる上部継手鉄筋郡の基端部と、段部１３７とにより、橋軸直角方向の継手鉄筋用の仮置き収容溝１３８が、橋軸直角方向に連続して延長するように形成されている。
【００３３】
また介装用鉄筋５は、図４に示すように、一本の鉄筋をフック状に折り曲げて構成された端部５３を有している。この端部５３は、曲率を持たせて折り曲げられていてもよい。また、この介装用鉄筋５の他端には、鋼製筒状体５１が嵌合されると共に、鉄筋に押し潰し変形されて圧着固定された圧着グリップ（エンドバンド）５２が形成されている。
【００３４】
上述の如き構成からなる既設床版２、取替用床版３、介装用鉄筋５により接合構造１を構成する場合には、既設床版２における端面２ａと、取替用床版３における上部床版端面３４、下部床版端面３５とを互いに間隔を空けて対向させて配置する。これにより既設床版２における端面２ａから突出された既設鉄筋２１と、取替用床版３における上部床版端面３４、下部床版端面３５から突出された上部継手鉄筋３０ａ及び下部継手鉄筋３０ｂが平面視で互い違いになるように配置されることとなる。
【００３５】
また介装用鉄筋５を、既設床版２と、取替用床版３との間に設ける。図２の例では、介装用鉄筋５における端部５３を、既設床版２側に近接させ、圧着グリップ５２を取替用床版３側に近接させる。このとき、介装用鉄筋５は、図１に示すように、平面視において既設鉄筋２１、上部継手鉄筋３０ａ及び下部継手鉄筋３０ｂとの間で互いに離間させた位置に配置されることとなる。また、この介装用鉄筋５を配置する際には、これを上下２段に亘り設けるようにしてもよい。その理由として、上下２段に亘り設けられる上部継手鉄筋３０ａ及び下部継手鉄筋３０ｂにそれぞれ重ね継手を構成するためである。即ち、上側に設ける介装用鉄筋５は、端部５３のフックを下から上に向けて延長された状態とし、下側に設ける介装用鉄筋５は、端部５３のフックを上から下に向けて延長された状態で配設する。また、介装用鉄筋５における圧着グリップ５２が設けられている側は、上部継手鉄筋３０ａ及び下部継手鉄筋３０ｂとそれぞれほぼ同一高さとなるように構成される。
【００３６】
この介装用鉄筋５は、既設床版２における既設鉄筋２１との間で互いに離間させた上で間詰めコンクリート４を介して定着させる。また、この介装用鉄筋５は、上部継手鉄筋３０ａ及び下部継手鉄筋３０ｂとの間で重ね継手となるように配設する。実際に、既設鉄筋２１と、介装用鉄筋５における端部５３は、平面視において互いに離間させてなり、特に鉄筋を介して連結することなく、定着する継手構造を構成する。この間詰めコンクリート４を介して定着させる構造を採用する上で橋軸直角方向に向けて、換言すれば図２中の紙面奥行側に向けて補強鉄筋３８が配筋される。
【００３７】
これに対して、介装用鉄筋５における圧着グリップ５２と、上部継手鉄筋３０ａ及び下部継手鉄筋３０ｂにおける圧着グリップ３２との間の間隔ｄは、介装用鉄筋５と、継手鉄筋３０とが互いに重複する長さである。本発明においては、少なくともこの間隔ｄにおいて重ね継手を構成する。
【００３８】
この重ね継手を構成する上では、橋軸直角方向に向けて、換言すれば図２中の紙面奥行側に向けて補強鉄筋３７が配筋される。この補強鉄筋３７と、介装用鉄筋５及び継手鉄筋３０とは、必要に応じて番線等の結束線により結束する。特に取替用床版３における上部継手鉄筋３０ａ及び下部継手鉄筋３０ｂが、先端に圧着グリップ３２を設けたいわゆるエンドバンド鉄筋であることから、これに対応させて介装用鉄筋５においても、その端部に圧着グリップ５２を形成させることで、重ね継手を好適に形成させることが可能となる。
【００３９】
介装用鉄筋５をこのような状態で配置した後に、間詰めコンクリート４を充填する。これにより、介装用鉄筋５におけるフック状に折り曲げられた端部５３と、間詰めコンクリート４を定着させることができ、継手構造として所期の効果を発現させることが可能となる。特にこの端部５３がフック状に折り曲げられていることにより、橋軸方向に向けて負荷される引張応力に対して、このフック部分が抵抗することができることから引き抜けを防止することが可能となり、間詰めコンクリート４との間で強固な定着を実現できる。
【００４０】
なお、既設床版２から突出されている既設鉄筋２１は、取替えを行うための取替用床版３と離れていることから、既設鉄筋２１についてのみラップを行うことで、所望の性能を保持することが可能となる。
【００４１】
上述した構成からなる接合構造１によれば、取替用床版３側においては、介装用鉄筋５と上部継手鉄筋３０ａ及び下部継手鉄筋３０ｂとの間では、重ね継手を構成していることから互いに強固に接合することが可能となる。また既設床版２側においては、介装用鉄筋５と、既設鉄筋２１との間で間詰めコンクリート４を介して定着させる構造を採用することで、十分な強度を以って接合することができる。この定着させる継手構造では、介装用鉄筋５並びに既設鉄筋２１が間詰めコンクリート４を介して定着されているものに過ぎないが、これによっても上述した所期の効果を発現させることが可能となる。
【００４２】
特に既設床版２側において重ね継手を適用することなく、あくまで間詰めコンクリート４を介した定着を行うことにより、既設床版２と、取替用床版３との間に形成される目地間隔ｅを短くすることができる。その結果、間詰めコンクリート４を打設するための労力を軽減させることができ、また施工時間も短縮することが可能となる。特に取替用床版３による取替作業を行うための交通規制時間も短縮することができる。更に必要な間詰めコンクリート４の量も低減することができ、材料コストを抑制することが可能となる。
【００４３】
また本発明では、既設床版２側においては、介装用鉄筋５と、既設鉄筋２１との間で間詰めコンクリート４を介した定着構造を採用するため、既設床版２について建設時の図面等の情報が残っていない場合であってもこれとは無関係に接合を行うことができる。このため、既設床版２の鉄筋の配置状況等を確認するために一度掘削作業を行う必要も無くなり、これに伴う施工時間が増加してしまうのを防止することができる。
【００４４】
また本発明では、既設床版２側においては、介装用鉄筋５と、既設鉄筋２１との間で間詰めコンクリート４を介して定着させるため、従来の重ね継手を採用する場合における機械式継手の組立調整も必要なくなり、施工時間をより短縮することが可能となる。
【００４５】
なお、本発明は、上述した実施の形態に限定されるものではない。例えば図５に示すように既設床版２から突出されている２段の既設鉄筋２１の上下間隔が狭い場合には、上段の既設鉄筋２１のみ上方に折り曲げて間隔調整を行うようにしてもよい。これにより、２段に亘る既設鉄筋２１の間隔を上下に亘り拡径することが可能となる。そして、この上下に亘り拡径された既設鉄筋２１同士を、この介装用鉄筋５との間で間詰めコンクリート４を介して定着させることにより、これらを接合することが可能となる。
【００４６】
更に本発明では、図６に示す取替用床版３´に示すように、端面から突出される鉄筋がようにループ状のループ鉄筋３９とされていても、同様に実現することができる。この取替用床版３´において、上述した取替用床版３と同一の構成要素、部材に関しては同一の符号を付すことにより、以下での説明を省略する。
【００４７】
ループ鉄筋３９は、その一端が上部床版端面３４から突出され、またその他端が下部床版端面３５から突出される。このループ鉄筋３９は、上部床版端面３４から突出された一端がそのまま略水平方向に向けて延長された上で下側に向けて徐々に屈曲してループ４０を描くように形成され、同様に下部床版端面３５から突出された一端がそのまま略水平方向に向けて延長されて上側に向けて徐々に屈曲してループ４０を描くように形成される。このループ鉄筋３９における屈曲された一端から他端にかけて連続しており、屈曲された一端から他端まで至るまで円弧状のループ４０を描くように形成されている。このループ鉄筋３９におけるループ４０は、必ずしも円弧状に構成されていることは必須ではなく、いかなる形状で構成されていてもよい。
【００４８】
図７は、このような取替用床版３´との間で重ね継手を構成する介装用鉄筋５´の構成を示している。円弧状のループを描くような形状とされているループ５５と、このループ５５の一端からそのまま略水平方向に向けて延長された上で下側に向けて徐々に円弧を描くように屈曲された屈曲部５６ａと、このループ５５の他端からそのまま略水平方向に向けて延長された上で上側に向けて徐々に円弧を描くように屈曲された屈曲部５６ｂとを備えている。ちなみに、介装用鉄筋５´は、図７の形態に限定されるものではなく、ループ５５が形成されているものであれば、その何れか一端のみが略水平方向に延長されるものであってもよい。また、屈曲部５６ａ、５６ｂの構成は必須ではなく、これらを省略するようにしてもよい。またループ５５は円弧状に構成される場合に限定される場合に限定されるものではなく、他のいかなる形状で構成されるものであってもよい。
【００４９】
上述の如き構成からなる取替用床版３´、介装用鉄筋５´により、既設床版２との関係において接合構造１を構成する場合には、図８に示すように、既設床版２における端面２ａと、取替用床版３´における上部床版端面３４、下部床版端面３５とを互いに間隔を空けて対向させて配置する。これにより既設床版２における端面２ａから突出された既設鉄筋２１と、取替用床版３におけるループ鉄筋３９が平面視で互い違いになるように配置されることとなる。
【００５０】
また介装用鉄筋５´を、既設床版２と、取替用床版３´との間に設ける。図８の例では、介装用鉄筋５´における屈曲部５６ａ、５６ｂを、既設床版２側に近接させる。このとき、介装用鉄筋５´は、平面視において既設鉄筋２１、ループ鉄筋３９との間で互いに離間させた位置に配置されることとなる。
【００５１】
この介装用鉄筋５´は、既設床版２における既設鉄筋２１との間で間詰めコンクリート４を介して定着させるように配設する。また、この介装用鉄筋５は、ループ鉄筋３９との間で重ね継手となるように配設する。実際に、既設鉄筋２１と、介装用鉄筋５´における屈曲部５６は、平面視において互いに離間させてなり、特に鉄筋を介して連結することなく、定着させる構造としている。かかる構造を構成する上で橋軸直角方向に向けて、換言すれば図２中の紙面奥行側に向けて補強鉄筋３８が配筋されるが、この補強鉄筋３８は、あくまで継手を構成する上では必須ではなく、また番線等の結束線により結束されることも特段必要とされない。
【００５２】
これに対して、介装用鉄筋５におけるループ鉄筋３９との間で重ね継手を構成する上では、橋軸直角方向に向けて、換言すれば図８中の紙面奥行側に向けて補強鉄筋３７が配筋される。この補強鉄筋３７と、介装用鉄筋５及びループ鉄筋３９とは、必要に応じて番線等の結束線により結束する。特に取替用床版３における介装用鉄筋５がループ状に折り曲げられたループ鉄筋３９であることから、これに対応させて介装用鉄筋５においても、ループ５５を形成させることで、重ね継手を好適に形成させることが可能となる。
【００５３】
介装用鉄筋５´をこのような状態で配置した後に、間詰めコンクリート４を充填する。これにより、介装用鉄筋５´におけるフック状に折り曲げられた屈曲部５６と、間詰めコンクリート４を定着させることができ、継手として上述の所期の効果を発現させることが可能となる。特にこの屈曲部５６がフック状に折り曲げられていることにより、橋軸方向に向けて負荷される引張応力に対して、このフック部分が抵抗することができることから引き抜けを防止することが可能となり、間詰めコンクリート４との間で強固な定着を実現できる。
【００５４】
従って、取替用床版３´を使用する場合においても、取替用床版３を使用する場合と同等の作用効果を得ることが可能となる。
【００５５】
なお、本発明は、更に、既設床版２と取替用床版３、３´間の接合方法としても適用可能であることは勿論である。かかる場合には、既設床版２と、取替用床版３、３´を互いに間隔を空けて配置し、既設鉄筋２１と介装用鉄筋５、５´とを互いに離間させる。また、介装用鉄筋５、５´と継手鉄筋３０、ループ鉄筋３９との間では互いに重ね継手となるように配設する。その上で間詰めコンクリート４を充填することで、上述した接合構造１を形成させることが可能となる。
【００５６】
更に本発明は、橋梁の補修に限定されるものではなく、あらゆる既設構造物の補修に対しても適用可能である。かかる場合には、その補修対象の既設構造物における取替えを行わない領域を既設床版２とみなし、また取替を行う部材を取替用床版３、３´とみなして、上述と同様の接合を行っていくこととなる。
【００５７】
なお、上述した構成からなる本発明では、橋梁の補修について、橋軸方向間の補修のみならず、橋軸直角方向間の補修についても同様に適用することができることは勿論である。
【符号の説明】
【００５８】
１  接合構造
２  既設床版
３  取替用床版
４  間詰めコンクリート
５  介装用鉄筋
２１  既設鉄筋
２２  補強鉄筋
３０ａ  上部継手鉄筋
３０ｂ  下部継手鉄筋
３１  鋼製筒状体
３２  圧着グリップ
３４  上部床版端面
３５  下部床版端面
３７  補強鉄筋
３８  補強鉄筋
３９  ループ鉄筋
４０  ループ
５１  鋼製筒状体
５２  圧着グリップ
５３  端部
５５  ループ
５６  屈曲部
８０  取替用床版本体
８１  取替用床版
９２  鉄筋
９５  補強鉄筋
９７  コンクリート
１００  既設床版
１０１  鉄筋
１３７  段部
１３８  収容溝
【図１】
0006411836.tif 000002
【図２】
0006411836.tif 000003
【図３】
0006411836.tif 000004
【図４】
0006411836.tif 000005
【図５】
0006411836.tif 000006
【図６】
0006411836.tif 000007
【図７】
0006411836.tif 000008
【図８】
0006411836.tif 000009
【図９】
0006411836.tif 000010
【図１０】
0006411836.tif 000011